(57)【要約】      （修正有）【課題】チャック式袋に漏斗状のキャップを装着して使用勝手を向上させたキャップの装着体を提供する。【解決手段】キャップの装着体Ｃは、フィルムで形成された袋の口部に袋を開閉するためのチャック部を有し、そのチャック部が、互いに嵌合可能な凸部材１１ａ及び凹部材１１ｂで構成されたチャック式袋１と、先端と後端とが開口したキャップ２と、このキャップ２の外側に設けられた略半周のキャップ側凸部材と、キャップ２の外側に設けられた略半周のキャップ側凹部材とを備え、キャップ側凸部材を凹部材１１ｂに、凸部材１１ａをキャップ側凹部材に、それぞれ嵌合させる構成とする。【選択図】図１
2012121579.tif 000002
【特許請求の範囲】
【請求項１】
フィルムで形成された袋の口部に袋を開閉するためのチャック部を有し、そのチャック部が、互いに嵌合可能な凸部材及び凹部材で構成されたチャック式袋と、
先端と後端とが開口したキャップと、
このキャップの外側に設けられた略半周のキャップ側凸部材と、
前記キャップの外側に設けられた略半周のキャップ側凹部材とを備え、
前記キャップ側凸部材を前記凹部材に、前記凸部材を前記キャップ側凹部材に、それぞれ嵌合させる構成となっている
ことを特徴とするキャップの装着体。
【請求項２】
フィルムで形成された袋の口部に袋を開閉するためのチャック部を有し、そのチャック部が、互いに嵌合可能な凸部材及び凹部材で構成されたチャック式袋と、
先端と後端とが開口したキャップと、
このキャップの外側に設けられた略半周のキャップ側凸部材と、
前記キャップの外側に設けられた略半周のキャップ側凹部材とを備え、
前記キャップ側凸部材を前記凹部材に、前記凸部材を前記キャップ側凹部材に、それぞれ嵌合させて、前記チャック式袋に前記キャップを装着する
ことを特徴とするキャップの装着方法。
【発明の詳細な説明】
【技術分野】
【０００１】
本発明は、キャップの装着体及びキャップの装着方法に係り、特に、チャック式袋に漏斗状のキャップを装着して使用勝手を向上させたキャップの装着体及びキャップの装着方法に関する。
【背景技術】
【０００２】
従来、フィルムで形成された袋の口部に袋を開閉するためのチャック部を有し、そのチャック部が、互いに嵌合可能な凸部材及び凹部材で構成されたチャック式袋があり（例えば、特許文献１参照）、このチャック式袋に粉末状のお茶等を入れるようにしている。
そして、そのチャック式袋内のお茶を、例えば、スプーンを使って他の小さい容器に移し替えるようにしている。
【先行技術文献】
【特許文献】
【０００３】
【特許文献１】特開２００８−７６６４号公報
【発明の概要】
【発明が解決しようとする課題】
【０００４】
ところが、上記のチャック式袋内のお茶をスプーンを使って他の小さい容器に移し替える際、スプーンが大きい場合、他の小さい容器からお茶がこぼれたり、また、スプーンが小さい場合、小さいスプーンに多くのお茶を入れて移し替える場合、他の小さい容器からお茶がこぼれたりして、使用勝手が好ましくないという問題点があった。
【０００５】
本発明は、前記問題点を考慮してなされたもので、チャック式袋に漏斗状のキャップを装着して使用勝手を向上させたキャップの装着体及びキャップの装着方法を提供することを目的とする。
【課題を解決するための手段】
【０００６】
請求項１記載のキャップの装着体は、フィルムで形成された袋の口部に袋を開閉するためのチャック部を有し、そのチャック部が、互いに嵌合可能な凸部材及び凹部材で構成されたチャック式袋と、先端と後端とが開口したキャップと、このキャップの外側に設けられた略半周のキャップ側凸部材と、前記キャップの外側に設けられた略半周のキャップ側凹部材とを備え、前記キャップ側凸部材を前記凹部材に、前記凸部材を前記キャップ側凹部材に、それぞれ嵌合させる構成となっているものである。
【０００７】
また、請求項２記載のキャップの装着方法は、フィルムで形成された袋の口部に袋を開閉するためのチャック部を有し、そのチャック部が、互いに嵌合可能な凸部材及び凹部材で構成されたチャック式袋と、先端と後端とが開口したキャップと、このキャップの外側に設けられた略半周のキャップ側凸部材と、前記キャップの外側に設けられた略半周のキャップ側凹部材とを備え、前記キャップ側凸部材を前記凹部材に、前記凸部材を前記キャップ側凹部材に、それぞれ嵌合させて、前記チャック式袋に前記キャップを装着するものである。
【発明の効果】
【０００８】
請求項１記載のキャップ装着体によれば、キャップ側凸部材をチャック式袋の凹部材に、チャック式袋の凸部材をキャップ側凹部材に、それぞれ嵌合させて、チャック式袋にキャップを装着することができるため、チャック式袋の収容物をキャップを介して他の容器への移動が容易となり、使用勝手を向上させることができる。
【０００９】
また、請求項２記載のキャップ装着方法によれば、キャップ側凸部材をチャック式袋の凹部材に、チャック式袋の凸部材をキャップ側凹部材に、それぞれ嵌合させて、チャック式袋にキャップを装着することができるため、チャック式袋の収容物をキャップを介して他の容器への移動が容易となり、使用勝手を向上させることができる。
【図面の簡単な説明】
【００１０】
【図１】図１は、本発明の一実施例のキャップの装着体の概略的断面図である。
【図２】図２は、図１のキャップの装着体の概略的正面図であり、斜線部は溶着部位を示している。
【図３】図３は、図１のチャック式袋に漏斗状のキャップを装着する前の状態を示す概略的断面図である。
【図４】図４は、図１の漏斗状のキャップの概略的斜視図である。
【図５】図５は、図４の５−５線による概略的断面図である。
【図６】図６は、図４の概略的平面図である。
【図７】図７は、図１のキャップの装着体の使用状態を示す概略的図である。
【発明を実施するための形態】
【００１１】
本発明の一実施例のキャップの装着体及びキャップの装着方法を図面を参照して説明する。
図１及び図２に示すＣはキャップの装着体で、キャップの装着体Ｃは、チャック式袋１と漏斗状のキャップ２とから概略的に構成されている。
チャック式袋１は、周知のもので、２枚のフィルムを溶着（図２の斜線部は溶着部位を示している。）し、フィルムで形成された袋の口部に袋を開閉するためのチャック部１１を有し、そのチャック部１１が、互いに嵌合可能な凸部材１１ａ及び凹部材１１ｂで構成されている。
【００１２】
キャップ２は、例えば、透明又は半透明のプラスティックで漏斗状に形成され、図４乃至図６に示すように、先端と後端とが開口したもので、キャップ２の外側に略半周のキャップ側凸部材２ａと略半周のキャップ側凹部材２ｂとが設けられている。
そして、図１及び図３に示すように、キャップ側凸部材２ａをチャック式袋１の凹部材１１ｂに、チャック式袋１の凸部材１１ａをキャップ側凹部材２ｂに、それぞれ嵌合させる構成となっている。
【００１３】
また、チャック式袋１内には、収納物、例えば、粉末状のお茶が収納され、キャップ側凸部材２ａをチャック式袋１の凹部材１１ｂに、チャック式袋１の凸部材１１ａをキャップ側凹部材２ｂに、それぞれ嵌合させて、チャック式袋１にキャップ２を装着することができる（図１及び図７参照）。
そのため、図７に示すように、チャック式袋１内の粉末状のお茶を他の小さな容器１０に所定量移し替える場合、チャック式袋１に装着したキャップ２を容器１０の開口部に臨ませて使用すれば、こぼれることなく所定量の粉末状のお茶を容器１０に移し替えることができ、使用勝手を向上させることができる。
【００１４】
このように、キャップ装着体Ｃ(又はキャップの装着方法)によれば、キャップ側凸部材２ａをチャック式袋１の凹部材１１ｂに、チャック式袋１の凸部材１１ａをキャップ側凹部材２ｂに、それぞれ嵌合させて、チャック式袋１にキャップ２を装着することができるため、チャック式袋１の収容物をキャップ２を介して他の容器１０への移動が容易となり、使用勝手を向上させることができる。
【符号の説明】
【００１５】
Ｃ      キャップの装着体
１      チャック式袋
１１    チャック部
１１ａ  凸部材
１１ｂ  凹部材
２      キャップ
２ａ    キャップ側凸部材
２ｂ    キャップ側凹部材
【図１】
2012121579.tif 000003
【図２】
2012121579.tif 000004
【図３】
2012121579.tif 000005
【図４】
2012121579.tif 000006
【図５】
2012121579.tif 000007
【図６】
2012121579.tif 000008
【図７】
2012121579.tif 000009